(57)【要約】【課題】  不揮発性記憶媒体の不正な取り外しが生じた場合においても、盗難先で有効な情報を再現できないようにする。【解決手段】  メモリ／ＨＤＤ制御部２１４は、画像処理部２１３によって画像処理が施された１ページ分の画像データがページメモリ２１５に蓄積される度に、その画像データを読み出し、ＨＤＤ２１８と蓄積メモリ２１７に分けて転送して書き込む。このとき、１ワード（転送単位）の画像データを最上位ビットから最下位ビットまでＤ１５からＤ０とすると、最上位ビットＤ１５（所定ビット）を蓄積メモリ２１７に転送すべき画像データとして処理する。また、残りのデータ（１５ビットＤ１４〜Ｄ０）を１６ビットデータとして再構成し、それをＨＤＤ２１８に転送すべきデータとして処理する。【選択図】        図１
2008172845.tif 000002
【特許請求の範囲】
【請求項１】
記憶媒体に複数ページの画像データを順次転送して書き込み、その書き込んだ複数ページの画像データを順次読み出せるようにした画像データ記憶装置において、
前記記憶媒体を不揮発性記憶媒体と揮発性記憶媒体によって構成し、
複数ページの画像データを１ページ毎に前記不揮発性記憶媒体と前記揮発性記憶媒体とに分けて転送して書き込む分割書込手段を設けたことを特徴とする画像データ記憶装置。
【請求項２】
請求項１記載の画像データ記憶装置において、
前記分割書込手段が、前記不揮発性記憶媒体への画像データの転送単位毎に、その転送単位の画像データの所定ビットを前記揮発性記憶媒体に転送すべき画像データとして処理する手段を有することを特徴とする画像データ記憶装置。
【請求項３】
請求項２記載の画像データ記憶装置において、
前記分割書込手段が、前記転送単位の画像データの前記所定ビットの位置に０か１の固定値を挿入して該画像データを再構成し、それを前記不揮発性記憶媒体に転送すべき画像データとして処理する手段を有することを特徴とする画像データ記憶装置。
【請求項４】
請求項２記載の画像データ記憶装置において、
前記分割書込手段が、前記転送単位の画像データの前記所定ビットの位置にランダムデータを挿入して該画像データを再構成し、それを前記不揮発性記憶媒体に転送すべき画像データとして処理する手段を有することを特徴とする画像データ記憶装置。
【請求項５】
請求項１記載の画像データ記憶装置において、
前記分割書込手段が、前記転送単位の画像データを前記不揮発性記憶媒体に複数転送して書き込む毎に、そのうちの所定数の画像データを前記揮発性記憶媒体に振り分けて転送して書き込むようにしたことを特徴とする画像データ記憶装置。
【請求項６】
請求項２乃至４のいずれか一項に記載の画像データ記憶装置において、
前記分割書込手段が、前記揮発性記憶媒体に転送すべき前記所定ビットの前記転送単位の画像データでの位置を該転送単位で規則的に変更する手段を有することを特徴とする画像データ記憶装置。
【請求項７】
請求項１記載の画像データ記憶装置において、
前記分割書込手段が、前記不揮発性記憶媒体に転送する前記転送単位の画像データに加えて所定ビットのデータを揃え、前記揮発性記憶媒体への転送単位で前記所定ビットのデータを該揮発性記憶媒体に転送して書き込むようにしたことを特徴とする画像データ記憶装置。
【請求項８】
請求項１乃至７のいずれか一項に記載の画像データ記憶装置において、
前記分割書込手段によって転送される画像データを圧縮する圧縮手段を設けたことを特徴とする画像データ記憶装置。
【請求項９】
請求項１乃至８のいずれか一項に記載の画像データ記憶装置において、
前記不揮発性記憶媒体および前記揮発性記憶媒体に記憶された画像データを読み出す読出手段と、
該読出手段による画像データの読み出しが終了した後、前記揮発性記憶媒体に記憶された画像データを消去する消去手段と
を設けたことを特徴とする画像データ記憶装置。
【請求項１０】
請求項１乃至９のいずれか一項に記載の画像データ記憶装置において、
複数ページの画像データを１ページ毎に前記不揮発性記憶媒体のみに転送して書き込む通常書込手段と、
記憶される画像データを一時的に使用する一時使用モードあるいは記憶される画像データを継続して何度も使用する継続使用モードを選択するモード選択手段と、
該モード選択手段によって前記一時使用モードが選択された場合には前記分割書込手段による書き込み制御を、前記継続使用モードが選択された場合には前記通常書込手段による書き込み制御をそれぞれ選択する書込制御選択手段と
を設けたことを特徴とする画像データ記憶装置。
【発明の詳細な説明】
【技術分野】
【０００１】
この発明は、複数ページの画像データを蓄積（記憶）可能な記憶媒体（記憶手段）を有する画像データ記憶装置に関する。
【背景技術】
【０００２】
従来、例えばデジタル複写機やデジタル複合機等の画像形成装置として、ハードディスク（以下「ＨＤＤ」という）等の不揮発性記憶媒体を有する画像データ記憶装置を搭載したものがある。
そのＨＤＤは、電子ソート機能、画像登録機能など、画像データ（デジタル画像データ）を１度蓄えて利用する機能に用いられている。電子ソート機能は、スキャナによって複数枚（複数ページ）の原稿の画像を順次読み取り、その各画像データをＨＤＤに全て記憶した後、その各画像データをページ順にＨＤＤから読み出し、プリントアウト（用紙に画像形成）するものである。それによって、画像形成装置が複数のビンを持つソータ装置を持たなくても、コピー紙をソートした状態で排紙することが可能となる。
【０００３】
また、画像登録機能は、予め複数のフォーム画像を登録画像としてＨＤＤに記憶しておくことにより、一度読み取った原稿の画像をスキャナで再度読み取ることなく、必要なときに何度でもプリントアウトすることができる。
しかしながら、ＨＤＤはデータを保持して上記のように利用できる反面、コマンド等でデータの消去を行わないといつまでもデータが保持されるので、不正に機器から取り外された場合、データを盗まれる可能性があり、セキュリティに問題がある。
このようなＨＤＤのセキュリティに関する従来技術としては、例えば特許文献１（情報機器の補助記憶装置）に記載されたものがある。
【特許文献１】特開平１１−１７５４０６号公報
【発明の開示】
【発明が解決しようとする課題】
【０００４】
この従来技術は、ＨＤＤの不正な取り外しを検知すると、データ消去動作を行うことを特徴としているが、取り外しを検知してから消去動作を行うため、ＨＤＤ内部の一部のデータしか消去できない可能性が高い。
また、別な従来技術として、ＨＤＤではなく、画像データを全てＳＤＲＡＭ等の揮発性記憶媒体に蓄えれば、不正な取り外しが行われた場合、すぐにデータを消去することができるものがある。ところが、ＳＤＲＡＭ等の揮発性記憶媒体はＨＤＤに比べ、蓄積データ量に対するコストが高いという欠点がある。
【０００５】
この発明は上記の点に鑑みてなされたものであり、画像データをハードディスク等の不揮発性記憶媒体に蓄え、様々な機能を実現可能にした画像形成装置やスキャナ装置に使用されている画像データ記憶装置（画像処理装置）において、不揮発性記憶媒体の不正な取り外しが生じた場合においても、盗難先で有効な情報を再現できないようにすることを目的とする。また、画像データが画像登録機能等の機能で一時的な使用ではなく継続して何度も使用される用途の場合には、その画像データが電源ＯＦＦの操作で消去されないようにすることも目的とする。
【課題を解決するための手段】
【０００６】
この発明は、記憶媒体に複数ページの画像データを順次転送して書き込み、その書き込んだ複数ページの画像データを順次読み出せるようにした画像データ記憶装置において、上記の目的を達成するため、次のようにしたことを特徴とする。
請求項１の発明による画像データ記憶装置は、記憶媒体を不揮発性記憶媒体と揮発性記憶媒体によって構成し、複数ページの画像データを１ページ毎に上記不揮発性記憶媒体と上記揮発性記憶媒体とに分けて転送して書き込む分割書込手段を設けたものである。
【０００７】
請求項２の発明による画像データ記憶装置は、請求項１の画像データ記憶装置において、上記分割書込手段に、上記不揮発性記憶媒体への画像データの転送単位毎に、その転送単位の画像データの所定ビットを上記揮発性記憶媒体に転送すべき画像データとして処理する手段を備えたものである。
請求項３の発明による画像データ記憶装置は、請求項２の画像データ記憶装置において、上記分割書込手段に、上記転送単位の画像データの上記所定ビットの位置に０か１の固定値を挿入して該画像データを再構成し、それを上記不揮発性記憶媒体に転送すべき画像データとして処理する手段を備えたものである。
【０００８】
請求項４の発明による画像データ記憶装置は、請求項２の画像データ記憶装置において、上記分割書込手段に、上記転送単位の画像データの上記所定ビットの位置にランダムデータを挿入して該画像データを再構成し、それを上記不揮発性記憶媒体に転送すべき画像データとして処理する手段を備えたものである。
請求項５の発明による画像データ記憶装置は、請求項１の画像データ記憶装置において、上記分割書込手段が、上記転送単位の画像データを上記不揮発性記憶媒体に複数転送して書き込む毎に、そのうちの所定数の画像データを上記揮発性記憶媒体に振り分けて転送して書き込むようにしたものである。
【０００９】
請求項６の発明による画像データ記憶装置は、請求項２〜４のいずれかの画像データ記憶装置において、上記分割書込手段に、上記揮発性記憶媒体に転送すべき上記所定ビットの上記転送単位の画像データでの位置を該転送単位で規則的に変更する手段を備えたものである。
請求項７の発明による画像データ記憶装置は、請求項１の画像データ記憶装置において、上記分割書込手段が、上記不揮発性記憶媒体に転送する上記転送単位の画像データに加えて所定ビットのデータを揃え、上記揮発性記憶媒体への転送単位で上記所定ビットのデータを該揮発性記憶媒体に転送して書き込むようにしたものである。
【００１０】
請求項８の発明による画像データ記憶装置は、請求項１〜７のいずれかの画像データ記憶装置において、上記分割書込手段によって転送される画像データを圧縮する圧縮手段を設けたものである。
請求項９の発明による画像データ記憶装置は、請求項１〜８のいずれかの画像データ記憶装置において、上記不揮発性記憶媒体および上記揮発性記憶媒体に記憶された画像データを読み出す読出手段と、該読出手段による画像データの読み出しが終了した後、上記揮発性記憶媒体に記憶された画像データを消去する消去手段とを設けたものである。
【００１１】
請求項１０の発明による画像データ記憶装置は、請求項１〜９のいずれかの画像データ記憶装置において、複数ページの画像データを１ページ毎に上記不揮発性記憶媒体のみに転送して書き込む通常書込手段と、記憶される画像データを一時的に使用する一時使用モードあるいは記憶される画像データを継続して何度も使用する継続使用モードを選択するモード選択手段と、該モード選択手段によって上記一時使用モードが選択された場合には上記分割書込手段による書き込み制御を、上記継続使用モードが選択された場合には上記通常書込手段による書き込み制御をそれぞれ選択する書込制御選択手段とを設けたものである。
【発明の効果】
【００１２】
この発明の画像データ記憶装置によれば、ＨＤＤ等の不揮発性記憶媒体にのみ記憶していた画像データの一部をＳＤＲＡＭ等の揮発性記憶媒体に記憶させ、データの消去が速い揮発性記憶媒体の性質を利用することにより、画像データの秘匿性を高めることができる。
すなわち、画像データを不揮発性記憶媒体と揮発性記憶媒体に分けて記憶させることにより、不揮発性記憶媒体の不正な取り外しが生じた場合においてもその不揮発性記憶媒体にはデータの一部しか記憶されていないこと、且つ揮発性記憶媒体上のデータは電源ＯＦＦでデータが消えてしまうことから、データの盗難を防止することができる。
さらに、画像データが一時的な使用ではなく継続して何度も使用される用途の場合は、不揮発性記憶媒体のみを選択して画像データを記憶させることにより、電源ＯＦＦ後も画像データが保存されるため、その画像データを継続して何度も使用することができる。
【発明を実施するための最良の形態】
【００１３】
以下、この発明を実施するための最良の形態を図面に基づいて具体的に説明する。
まず、この発明の一実施形態である画像データ記憶装置を用いたデジタル複写機について、図１及び図２を用いて説明する。図２はそのデジタル複写機全体の概略構成例を示す図、図１はそのデジタル複写機の制御系の構成例を示すブロック図である。
【００１４】
このデジタル複写機は、図２に示すように、スキャナ部１０１とレーザ記録部１０２と後処理部１０３とを備えており、スキャナ部１０１によって読み取った原稿の画像データに基づいてレーザ記録部１０２によって用紙に画像を形成し、画像形成済の用紙（コピー紙）に対して後処理部１０３によってコピー紙揃え，ステープル、パンチ穴開け等の後処理を施す装置である。
スキャナ部１０１は、画像読取手段（画像データ入力手段）であり、透明なコンタクトガラス１０４と、原稿台１０５ａに載置された原稿を１枚ずつコンタクトガラス１０４上の所定の位置に自動給送してセットする自動両面原稿送り装置（以下「ＲＡＤＦ」という）１０５と、そのコンタクトガラス１０４の上面にセットされた原稿の画像を読み取るスキャナユニット１０６とによって構成されている。
【００１５】
ここで、ＲＡＤＦ１０５は、原稿台１０５ａからコンタクトガラス１０４上を経て図示しない排出トレイに至る片面原稿給送路、およびスキャナユニット１０６による片面の画像の読み取りが完了した原稿の表裏を反転して再度コンタクトガラス１０４上に給送する両面原稿給送路を有し、片面，両面の原稿どちらにも対応できる。また、スキャナユニット１０６は、原稿をランプで照明（光を照射）し、その原稿からの反射光をレンズやミラー等により光電変換素子（ＣＣＤ）の受光面に結像させて原稿の画像を読み取る。この光電変換素子は、受光した反射光を電気信号に変換し、後述する画像処理部へ出力する。
レーザ記録部１０２は画像形成手段であり、用紙搬送部１０７とレーザ書き込みユニット１０８と電子写真プロセス部１０９とを備えている。用紙搬送部１０７は、用紙を電子写真プロセス部（画像形成部）１０９に搬送するユニットであり、用紙の両面に画像を形成する両面複写モード時に画像の定着を行う定着ローラを通過した用紙を表裏反転して再度電子写真プロセス部１０９に導く副搬送路を備えている。
【００１６】
レーザ書き込みユニット１０８は、後述する画像処理部から供給される画像データに基づいて半導体レーザを変調（ＯＮ／ＯＦＦ）駆動して対応するレーザ光を射出させ、ミラーやレンズを通してそのレーザ光を偏向して電子写真プロセス部１０９の感光体ドラム表面を走査し、静電潜像を形成する。電子写真プロセス部１０９は、この静電潜像をトナーにより顕像化してトナー画像を形成し、このトナー画像を用紙搬送部１０７によって搬送された用紙上に転写し、定着ローラで加熱・加圧することにより、トナー画像を溶融して用紙の表面に定着させ、用紙に画像形成を行う。
後処理部１０３は後処理手段であり、画像形成が完了して電子写真プロセス部１０９から排出された用紙（コピー紙）に対して、装置の設定に応じて用紙揃え，ステープル，パンチ穴開け等の後処理を行って排紙トレイ１０３ａ又は１０３ｂに排出する。
【００１７】
このデジタル複写機においては、図１に示す画像処理ボード２１０が画像データ記憶装置（画像処理装置）に相当し、そのＣＰＵ２１１が、ユニット毎に配置されたボードに搭載されたＣＰＵを介して各ユニットを構成する機器を統括して制御を行う。これらのボードがこのデジタル複写機の制御部であり、画像処理ボード２１０の他に、ＣＣＤボード２２０，マシンコントロールボード２３０，オペレーションパネルボード２５０を搭載している。
画像処理ボード２１０は、画像データに対して各種の画像処理を施すＣＰＵ２１１を周辺部品と共に搭載したボードであり、ＲＡＭ２１２，画像処理部２１３，メモリ／ＨＤＤ（ハードディスクドライブ）制御部２１４，ページメモリ２１５，レーザコントロールユニット２１６，蓄積メモリ２１７を備えている。これらの各部の動作については後述する。
【００１８】
ＣＣＤボード２２０は、光電変換素子を周辺部品と共に搭載したボードであり、Ａ／Ｄ変換回路２２１，ＣＣＤ制御回路２２２，アナログ回路２２３，ＣＣＤ２２４を備えている。そして、ＣＣＤ制御回路２２２によって制御されるＣＣＤ２２４が原稿からの反射光を受光すると、その情報を電気信号に変換し、アナログ回路２２３によってゲイン調整を行い、更にＡ／Ｄ変換回路２２１によって８ビットのデジタル画像データに変換して画像処理ボード２１０の画像処理部２１３に送出する。
【００１９】
マシンコントロールボード２３０は、装置内の各機器を管理するボードであり、ＣＰＵ２３２とＲＡＭ２３１とを備え、これらによって後処理部１０３，ＲＡＤＦ１０５，スキャナユニット１０６，用紙搬送部１０７，プロセス部２３３，両面ユニット２３５の制御を行う。ここで、後処理部１０３とＲＡＤＦ１０５はそれぞれ内部にＣＰＵ２４０とＣＰＵ２３９を備えている。
オペレーションパネルボード２５０は、装置の上面に設けられた操作パネル３００を管理するボードであり、ＣＰＵ２５１とＲＡＭ２５２とを備えている。操作パネル３００はタッチパネルを積層した液晶ディスプレイ（ＬＣＤ）３０２と各種の操作キー３０１とを備えている。
【００２０】
ここで、この複写機における自動原稿給送コピーモード時の画像データの処理について説明する。
ＲＡＤＦ１０５によってコンタクトガラス１０４上に給送された原稿の画像がスキャナユニット１０６によって読みとられると、前述したようにその画像はスキャナユニット１０６内のＣＣＤボード２２０によってデジタル画像データに変換され、画像処理ボード２１０の画像処理部２１３に送られる。
【００２１】
この１ページ分の画像データは、画像処理部２１３によって所定の画像処理が施された後、メモリ／ＨＤＤ制御部２１４によって一旦ページメモリ２１５に蓄えられる。ページメモリ２１５に蓄えられた画像データは、その後この発明に係る記憶媒体を構成する不揮発性記憶媒体であるＨＤＤ２１８とＳＤＲＡＭ等の揮発性記憶媒体である蓄積メモリ２１７に分割されて転送され、書き込まれる（記憶される）。ここまでの処理がＲＡＤＦ１０５の原稿台１０５ａに載置（セット）された全ての原稿について終了した後、ＨＤＤ２１８と蓄積メモリ２１７に記憶された複数枚の原稿（複数ページ）の画像データは、メモリ／ＨＤＤ制御部２１４によってページ順に読み出され、画像処理部２１３によって所定の画像処理が施されて、レーザコントロールユニット２１６を介してレーザ書き込みユニット１０８の半導体レーザ２１９に供給されるため、その半導体レーザ２１９が変調駆動され、画像形成が行われる。
【００２２】
複数部の画像形成を行う場合には、ＨＤＤ２１８と蓄積メモリ２１７からの各原稿の画像データの読み出しから画像形成までの処理を、設定部数分だけ繰り返す。従って、複数部の画像形成を行う場合でも各原稿画像の読み取りは１回のみでよい。また、複数枚の原稿の画像データはＨＤＤ２１８と蓄積メモリ２１７に分割されて記憶されるため、このデジタル複写機の電源が切れると、揮発性の蓄積メモリ２１７側に記憶されている画像データは消去され、画像データを盗まれる心配がない。
したがって、メモリ／ＨＤＤ制御部２１４が分割書込手段としての機能を果たす。
【００２３】
次に、画像データをＨＤＤ２１８と蓄積メモリ２１７に分割して記憶させる制御についてもう更に詳しく説明する。
ＨＤＤインタフェース（以下「インタフェース」を「Ｉ／Ｆ」という）のデータバスは１６ビットであるので、画像データの転送単位の１ワードは１６ビットである。
この実施形態では、図３に示すように、１ワード（転送単位）の画像データを最上位ビットから最下位ビットまでＤ１５からＤ０とすると、メモリ／ＨＤＤ制御部２１４が、最上位ビットＤ１５（所定ビット）を蓄積メモリ２１７に転送（ライト）すべき画像データとして処理する（後述する）。また、残りのデータ（１５ビットＤ１４〜Ｄ０）を１６ビットデータとして再構成し、それをＨＤＤ２１８に転送すべきデータとして処理する。つまり、１ワードの画像データＤ１５〜Ｄ０の最上位ビットＤ１５の位置に固定値である０（１でもよい）を挿入して画像データ（１６ビットデータ）を再構成し、それをＨＤＤ２１８に転送して書き込む。
【００２４】
このようにして画像データを蓄積していく時のＨＤＤ２１８および蓄積メモリ２１７のメモリ／ＨＤＤ制御部２１４とのインタフェースの状態を図４に示す。
図４では、３２ワードの画像データをＨＤＤ２１８に書き込む場合を示している。この例の蓄積メモリ２１７は１６ビットのデータバスを有しているため、メモリ／ＨＤＤ制御部２１４が、ＨＤＤ２１８に１ワードアクセスする（各１ワードの画像データを書き込む）度に、その１ワードの画像データの最上位１ビットＤ１５を一時的に自己の内部メモリに蓄え、１６ビットＤ１５〜Ｄ０のデータ（１ワードのデータ）が揃った時点で、そのデータを蓄積メモリ２１７に転送して書き込む。つまり、図４に示すように、１６ワードの画像データをＨＤＤ２１８に書き込む毎に、その各１ワードの画像データの最上位１ビットＤ１５のデータを蓄積メモリ２１７に転送して書き込む。それによって、蓄積メモリ２１７には、１ワード（１６ビット）の画像データが蓄積される。
【００２５】
逆に、ＨＤＤ２１８と蓄積メモリ２１７から画像データを読み出す（リード）する場合は、図５に示すように、１ワード目に蓄積メモリ２１７から１６ビットの画像データを読み出し、ＨＤＤ２１８から読み出した画像データの１から１６ワード目の各最上位ビットＤ１５を蓄積メモリ２１７から読み出した１６ビットで埋めて元の画像データに再生し、この動作を１６ワードずつ繰り返す。
なお、ＨＤＤ２１８と蓄積メモリ２１７内の画像データは、ＣＰＵ２１１がアクセスするＲＡＭ２１２上に構築された図８に示すディレクトリテーブルによって管理されている。
【００２６】
このディレクトリテーブルには最大原稿枚数（最大ページ数）分のエントリがあり、それぞれが１枚の原稿に対応している。各エントリには各原稿の画像データのＨＤＤ２１８内と蓄積メモリ２１７内の最初のアドレスが保持されている。
したがって、１枚の原稿画像の再生は、ディレクトリテーブル内の対応するＨＤＤアドレスとメモリアドレスを先頭アドレスとして、図５に示すような順番で画像データを読み出すことによって実現できる。
【００２７】
この実施形態では、メモリ／ＨＤＤ制御部２１４が、ＨＤＤ２１８への画像データの１ワード（転送単位）毎に、その各１ワードの画像データの最上位ビットを蓄積メモリ２１７に転送すべき画像データとして処理すると共に、その各１ワードの画像データの最上位ビットの位置に０を順次挿入して（上記各１ワードの最上位ビットＤ１５を順次０に置き換えて）画像データを再構成し（１ワードとし）、それをＨＤＤ２１８に転送すべき画像データとして処理するようにしたが、メモリ／ＨＤＤ制御部２１４内に乱数発生器を設け、上記各１ワードの画像データの最上位ビットＤ１５の位置に０を順次挿入する替わりに乱数（ランダムデータ）を順次挿入することにより、ＨＤＤ２１８内のデータ復元を更に困難にすることもできる。それによって、データの秘匿性を高めることができる。
【００２８】
また、蓄積メモリ２１７に転送すべきビットのＨＤＤ２１８に転送すべき１ワードの画像データでの位置を１ワード単位で規則的に変更することもできる。それによって、ＨＤＤ２１８内のデータ復元を更に困難にし、データの秘匿性を高めることができる。これは、図９に示すように、２重丸（◎）で示すビット位置が蓄積メモリ２１７に転送すべきビットの位置とすると、１番目の１ワードの画像データに対しては最上位のビットＤ１５の位置、２番目の１ワードの画像データに対してはビットＤ１４の位置、３番目の１ワードの画像データに対してはビットＤ１３の位置と、１ビットずつずらして１６番目の１ワードの画像データに対してはビットＤ０の位置、次の１７番目の１ワードの画像データに対してはまたビットＤ１５の位置に戻って、画像データの転送単位である１ワード毎に１ビット下の位置のビットを蓄積メモリ２１７に転送すべき画像データとするというふうに、規則性をもって上記蓄積メモリ２１７に転送すべきビットの位置をずらす。
【００２９】
蓄積メモリ２１７に蓄積するビットの位置が規則性を有するため、ＨＤＤ２１８から画像データを読み出して元の画像データに再構築するためには、その画像データの書き込み時の規則に従い、蓄積メモリ２１７から読み出したビットを対応するビット位置に挿入すればよい。
このように画像データをＨＤＤ２１８と蓄積メモリ２１７に蓄積することにより、ＨＤＤ２１８内のデータ復元を更に困難にし、データの秘匿性を高めることができる。
【００３０】
また、別の制御として、メモリ／ＨＤＤ制御部２１４が、ＨＤＤ２１８に転送する１ワードの画像データに加えて所定ビットのデータを揃えて１７ビットデータとし、蓄積メモリ２１７への転送単位で上記所定ビットのデータを蓄積メモリ２１７に転送して書き込むこともできる。この場合、上記１７ビットデータを上記所定ビットを詰めて１ワードデータとし、それをＨＤＤ２１８へ転送して書き込む。
【００３１】
例えば、図１０に示すように、メモリ／ＨＤＤ制御部２１４が、ページメモリ２１５に蓄えられた画像データに基づいて１７ビット毎に画像データを生成し、その各画像データの最上位ビットを蓄積メモリ２１７に転送すべき画像データとして処理し、その他の１６ビットをＨＤＤ２１８に転送すべき画像データとして処理することにより、蓄積メモリ２１７に転送する分のビットをＨＤＤ２１８へ転送する画像データに挿入することなく、画像データの一部を蓄積メモリ２１７に転送しながらＨＤＤ２１８に画像データを転送することができる。このように画像データをＨＤＤ２１８と蓄積メモリ２１７に蓄積することにより、ＨＤＤ２１８内のデータ復元を困難にし、データの秘匿性を高めることができる。
【００３２】
今までの説明では、ＨＤＤ２１８への画像データの１ワード毎に所定の１ビットを蓄積メモリ２１７に転送すべき画像データとしたが、別の制御でも上述したような効果を得ることができる。
その別の制御とは、１ワード毎に蓄積メモリ２１７にデータを振り分けるのではなく、数ワード毎にＨＤＤ２１８と蓄積メモリ２１７に画像データを振り分ける制御のことである。
このようにして画像データを蓄積していく時のＨＤＤ２１８と蓄積メモリ２１７のメモリ／ＨＤＤ制御部２１４とのインタフェースの状態を図６に示す。
【００３３】
図６は、３２ワードの画像データをＨＤＤ２１８に転送して書き込む場合の例を示している。まず、ＨＤＤ２１８に１ワードずつデータを転送して書き込み（ライトし）、１６ワード目に蓄積メモリ２１７に１ワードの画像データを転送して書き込む。このように１６ワード中の１ワードを蓄積メモリ２１７に書き込むことにより、ＨＤＤ２１８と蓄積メモリ２１７に画像データを分配して蓄積する。したがって、１枚の原稿画像の再生は、前述のディレクトリテーブル内の対応するＨＤＤアドレスとメモリアドレスを先頭アドレスとして図７に示すように画像データを読み出すことにより実現できる。
【００３４】
ところで、今までの実施例では、ＨＤＤ２１８と蓄積メモリ２１７に転送して書き込む画像データは原画像データであったが、原画像データを符号化（圧縮）し、その符号化後の画像データをＨＤＤ２１８と蓄積メモリ２１７に分けて転送して書き込むようにすれば、効果は更に大きくなる。
図１１は、メモリ／ＨＤＤ制御部２１４内の画像データを符号化／復号化する場合の構成例を示すブロック図である。
メモリ制御部４０１は、ページメモリ２１５に蓄えられた１ページ分の画像データを読み出し、符号化部（圧縮部）４０２に転送する。
符号化部４０２は、圧縮手段であり、転送されてくる画像データを符号化する。
【００３５】
メモリ／ＨＤＤＩ／Ｆ部４０４は、符号化部４０２によって符号化された画像データを蓄積メモリ２１７とＨＤＤ２１８とに分けて転送して書き込む。
このようにして蓄積メモリ２１７とＨＤＤ２１８に蓄積された画像データ（符号化データ）を復号化（伸張）する場合には、メモリ／ＨＤＤＩ／Ｆ部４０４が蓄積メモリ２１７とＨＤＤ２１８に分けられて蓄積された画像データを読み出して復号化部４０３に転送する。
復号化部４０３は、転送されてくる画像データ（符号化データ）を復号化する。
メモリ制御部４０１は、復号化部４０３によって復号化された画像データをページメモリ２１５に１ページ分の画像データとして展開する。
【００３６】
この例では、符号化方式は高能率な方式として算術符号化方式を用いる。算術符号化方式は、符号化する注目画素の出現確率を周りの参照画素の状態の条件付き確率から求め、その確率の値で符号化していく方式で、例えば図１３に示すテンプレートを用い、注目画素をＸとすると、Ｘが黒または白であったときの確率をＡＢＣＤＥの画素の組み合わせの条件付き確率から求める。図１２に示す画像の２ライン目の９画素目の画素を符号化するときは、図１３のテンプレートは図１４に示すような画素が当てはめられる。このように画像１ページの符号化を行う。この符号化の特徴としては、途中にライン同期用の符号がないことから、符号誤りが途中で生じると、そこからの復号画像は全くでたらめな画像になってしまうことがあげられる。このような特徴を持つため、蓄積メモリ２１７に分配されて蓄積されている符号化された画像データがデジタル複写機の電源ＯＦＦ等で消去された場合、ＨＤＤ２１８内部の画像データのみでは画像データの復元が非常に困難になり、データの秘匿性が非常に高くなる。
【００３７】
ところで、蓄積メモリ２１７がＳＤＲＡＭ等の揮発メモリで構成される場合、電源ＯＦＦにより画像データが消去されるが、電源をＯＦＦにすることなく、何らかの手段で蓄積メモリ２１７内の画像データを盗まれる可能性もないとはいえない。このような場合を鑑みて、ここではジョブ毎に蓄積メモリ２１７内の画像データの消去を行うようにしてもよい。ジョブとは、原稿画像を読み取ってその画像データを入力し、指定された部数の出力（画像形成）が終了するまでの１連の動作を指す。
【００３８】
図１５は、メモリ／ＨＤＤ制御部２１４によるこの発明に係わる制御の一例を示すフローチャートである。
メモリ／ＨＤＤ制御部２１４は、ジョブの実行のため、画像処理部２１３によって画像処理が施された１ページ分の画像データがページメモリ２１５に蓄積される度に、その画像データを読み出し、ＨＤＤ２１８と蓄積メモリ２１７に分けて転送して書き込む（ステップＳ１）。
そして、１ジョブ分の画像データの書き込み（蓄積）が終了すると、ＨＤＤ２１８と蓄積メモリ２１７から１ページ分（最初は１ページ目）の画像データを繰り返し読み出すことにより、複数部の画像データを出力してジョブを実行する（ステップＳ２）。この動作をジョブ終了まで繰り返す（ステップＳ３）。
【００３９】
指定された部数の画像データが出力され、ジョブが終了したら、蓄積メモリ２１７の全領域に０を書き込むことによって画像データを消去する（Ｓ４）。
このようにジョブ毎に蓄積メモリ２１７内の画像データを消去することにより、電源をＯＦＦにしない状態でも蓄積メモリ２１７内の画像データは逐次消去されるので、ＨＤＤ２１８内の画像データのみでは画像データの復元が非常に困難になり、画像データの秘匿性が非常に高くなる。
この例の場合、メモリ／ＨＤＤ制御部２１４が、読出手段および消去手段としての機能も果たす。
【００４０】
ところで、電子ソート機能等の機能で複数部の出力（コピー画像）を得る場合にＨＤＤ２１８に一時的に画像データを蓄積する用途がある一方、画像登録機能等の機能のようにＨＤＤ２１８に画像データを保存（登録）して必要なときにプリントアウトして使用する用途もある。例えば、申込書，登録書等のフォーマット画像が登録され、使用される。このような用途の場合、デジタル複写機の電源ＯＦＦで蓄積メモリ２１７内の画像データが消えてしまうと、ＨＤＤ２１８に保存された画像データを使用できないので、問題である。
【００４１】
そこで、この例では、画像登録機能等の機能で扱われる消去を行わない画像データを電子ソート機能等の機能で扱われる消去を行う画像データと区別して管理する。
そのため、例えば図１の操作パネル３００上の操作キー３０１の一部である画像登録キーを押下して画像登録モードを指定する画像登録情報（記憶される画像データを継続して何度も使用する継続使用モードを指定する継続使用モード情報に相当する）を発生させる。それによって、その画像登録情報は画像処理ボード２１０上のＣＰＵ２１１に伝わるため、そのＣＰＵ２１１が画像登録モード（継続使用モード）を選択し、メモリ／ＨＤＤ制御部２１４に通常の書き込み制御を指示する。画像登録情報がＣＰＵ２１１に伝わらなければ、そのＣＰＵ２１１が記憶（登録）される画像データを一時的に使用する一時使用モードを選択し、メモリ／ＨＤＤ制御部２１４に分割書き込み制御を指示する。
【００４２】
メモリ／ＨＤＤ制御部２１４は、ＣＰＵ２１１から分割書き込み制御が指示されると、分割書き込み制御を選択し、画像処理部２１３によって画像処理が施された１ページ分の画像データがページメモリ２１５に蓄積される度に、その画像データを読み出し、前述したようにＨＤＤ２１８と蓄積メモリ２１７に分けて転送して書き込む。ＣＰＵ２１１から通常の書き込み制御が指示されると、通常の書き込み制御を選択し、画像処理部２１３によって画像処理が施された１ページ分の画像データがページメモリ２１５に蓄積される度に、その画像データを読み出し、ＨＤＤ２１８のみに転送して書き込み、蓄積メモリ２１７にはデータを書き込まない。このとき、ＨＤＤ２１８に書き込まれる画像データ（登録される画像データ）のアドレスは、予め登録画像データ用に決められているＨＤＤ２１８のアドレス領域に登録される。
【００４３】
登録された画像データを読み出すときは、操作パネル３００上の操作キー３０１によって登録画像読出モードを指定する登録画像読出情報を発生させる。それによって、その登録画像読出情報は画像処理ボード２１０上のＣＰＵ２１１に伝わるため、そのＣＰＵ２１１が登録画像読出モードを選択し、メモリ／ＨＤＤ制御部２１４に登録された画像データの読み出し制御を指示する。それによって、メモリ／ＨＤＤ制御部２１４は、ＨＤＤ２１８から登録された画像データを読み出すことができる。
【００４４】
このように、画像データの消去を行うことを望まない登録画像データは蓄積メモリ２１７に蓄積せず、ＨＤＤ２１８にのみ蓄積することにより、デジタル複写機の電源ＯＦＦで登録画像データが失われることはない。また、その他の画像データについては蓄積メモリ２１７に記憶された一部のデータを消去することができ、画像データの用途によって適した保存を行うことができる。
この例の場合、メモリ／ＨＤＤ制御部２１４が、通常書込手段，モード選択手段，および書込制御選択手段としての機能も果たす。
以上、この発明をデジタル複写機に用いられている画像処理装置（画像データ記憶装置）に適用した実施形態について説明したが、この発明はこれに限らず、デジタル複合機，ＦＡＸ装置等の画像形成装置やスキャナ装置に使用されている画像処理装置にも適用可能である。
【図面の簡単な説明】
【００４５】
【図１】図２に示したデジタル複写機の制御系の構成例を示すブロック図である。
【図２】この発明の一実施形態である画像データ記憶装置を用いたデジタル複写機全体の概略構成例を示す図である。
【図３】図１のメモリ／ＨＤＤ制御部２１４による請求項１の発明に係わる書き込み制御を説明するための図である。
【図４】図１のメモリ／ＨＤＤ制御部２１４による請求項１の発明に係わる書き込み制御時のＨＤＤ２１８と蓄積メモリ２１７とのインタフェース状態の一例を示す図である。
【図５】図１のメモリ／ＨＤＤ制御部２１４による請求項１の発明に係わる読み出し制御時のＨＤＤ２１８と蓄積メモリ２１７とのインタフェース状態の一例を示す図である。
【図６】図１のメモリ／ＨＤＤ制御部２１４による請求項５の発明に係わる書き込み制御時のＨＤＤ２１８と蓄積メモリ２１７とのインタフェース状態の一例を示す図である。
【図７】図１のメモリ／ＨＤＤ制御部２１４による請求項５の発明に係わる読み出し制御時のＨＤＤ２１８と蓄積メモリ２１７とのインタフェース状態の一例を示す図である。
【図８】図１のメモリ／ＨＤＤ制御部２１４が参照するディレクトリテーブルの一例を示す図である。
【図９】図１のメモリ／ＨＤＤ制御部２１４による請求項６の発明に係わる書き込み制御を説明するための図である。
【図１０】図１のメモリ／ＨＤＤ制御部２１４による請求項７の発明に係わる書き込み制御を説明するための図である。
【図１１】図１のメモリ／ＨＤＤ制御部２１４内の請求項８の発明に係わる画像データを符号化／復号化する場合の構成例を示すブロック図である。
【図１２】図１のメモリ／ＨＤＤ制御部２１４による請求項８の発明に係わる符号化処理（圧縮処理）を説明するための説明図である。
【図１３】同じく他の説明図である。
【図１４】同じく更に他の説明図である。
【図１５】図１のメモリ／ＨＤＤ制御部２１４による請求項９の発明に係わる制御の一例を示すフロー図である。
【符号の説明】
【００４６】
１０１：スキャナ部    １０２：レーザ記録部    １０３：後処理部
１０４：コンタクトガラス    １０５：自動両面原稿送り装置
１０６：スキャナユニット    １０７：用紙搬送部    １０８：レーザ書き込みユニット
１０９：電子写真プロセス部    ２１０：画像処理ボード
２１１，２３２，２５１：ＣＰＵ    ２１２．２３１，２５２：ＲＡＭ
２１３：画像処理部    ２１４：メモリ／ＨＤＤ制御部    ２１５：ページメモリ
２１６：レーザコントロールユニット    ２１７：蓄積メモリ    ２１８：ＨＤＤ
２１９：半導体レーザ    ２２０：ＣＣＤボード    ２３０：マシンコントロールボード
２５０：オペレーションパネルボード    ３００：操作パネル    ３０１：操作キー
３０２：ＬＣＤ
【図１】
2008172845.tif 000003
【図２】
2008172845.tif 000004
【図３】
2008172845.tif 000005
【図４】
2008172845.tif 000006
【図５】
2008172845.tif 000007
【図６】
2008172845.tif 000008
【図７】
2008172845.tif 000009
【図８】
2008172845.tif 000010
【図９】
2008172845.tif 000011
【図１０】
2008172845.tif 000012
【図１１】
2008172845.tif 000013
【図１２】
2008172845.tif 000014
【図１３】
2008172845.tif 000015
【図１４】
2008172845.tif 000016
【図１５】
2008172845.tif 000017
【手続補正書】
【提出日】平成20年4月23日(2008.4.23)
【手続補正１】
【補正対象書類名】特許請求の範囲
【補正対象項目名】請求項１
【補正方法】変更
【補正の内容】
【請求項１】
記憶媒体に複数ページの画像データを順次転送して書き込み、その書き込んだ複数ページの画像データを順次読み出せるようにした画像データ記憶装置において、
前記記憶媒体を不揮発性記憶媒体と揮発性記憶媒体によって構成し、
複数ページの画像データを１ページ毎に２つに分け、それぞれ前記不揮発性記憶媒体と前記揮発性記憶媒体とに振り分けて転送して書き込む分割書込手段を設けたことを特徴とする画像データ記憶装置。
【手続補正２】
【補正対象書類名】明細書
【補正対象項目名】０００６
【補正方法】変更
【補正の内容】
【０００６】
この発明は、記憶媒体に複数ページの画像データを順次転送して書き込み、その書き込んだ複数ページの画像データを順次読み出せるようにした画像データ記憶装置において、上記の目的を達成するため、次のようにしたことを特徴とする。
請求項１の発明による画像データ記憶装置は、記憶媒体を不揮発性記憶媒体と揮発性記憶媒体によって構成し、複数ページの画像データを１ページ毎に２つに分け、それぞれ上記不揮発性記憶媒体と上記揮発性記憶媒体とに振り分けて転送して書き込む分割書込手段を設けたものである。